(57)【要約】【課題】 ステンレス撚線の表面に樹脂コーティング層を設けたいか釣り用ワイヤに関し、操業時に釣糸がプーリから外れた事を直ちに発見できる製造及び使用が容易なワイヤを得る。【解決手段】芯線１１の表面に樹脂コーティング層１３を設けたいか釣り用ワイヤ３において、ワイヤの長手方向全長にわたる樹脂コーティング層を、緑色、黄緑色ないし淡黄色の蛍光色コーティング層とする。好ましくは、蛍光緑色、蛍光黄緑色ないし蛍光淡緑色の樹脂コーティング層とする。夜間の操業においてワイヤが光って見えるために、釣糸がプーリから外れたときに、それを容易にかつ直ちに発見できる。またこれらの色のコーティング層をワイヤ全長に設けても釣果が低下することがない。【選択図】      図２
0003123408.tif 000002
【実用新案登録請求の範囲】
【請求項１】
芯線(11)の表面に樹脂コーティング層(13)を設けたいか釣り用ワイヤ(3)において、ワイヤの長手方向全長にわたる前記樹脂コーティング層が緑色、黄緑色ないし淡緑色の樹脂コーティング層であることを特徴とする、いか釣り用ワイヤ。
【請求項２】
上記樹脂コーティング層が、蛍光緑色、蛍光黄緑色ないし蛍光淡緑色の樹脂コーティング層であることを特徴とする、請求項１記載のいか釣り用ワイヤ。
【考案の詳細な説明】
【技術分野】
【０００１】
この考案は、芯線の表面に樹脂コーティング層を設けたワイヤに関し、いか釣り用の釣糸として用いられるいか釣り用ワイヤに関するものである。
【背景技術】
【０００２】
いか釣りは、先端部分に疑似餌と釣針とを装着した釣糸を漁船から水深数百メートルの海中に垂下することによって行われる。一隻の漁船から数十本ないし百本の釣糸が垂下されるのが普通であるが、これらの釣糸は、漁船に搭載した自動いか釣り機で周期的に繰り出されたり繰り込まれたりして、疑似餌にいかを引き付けるような上下運動（しゃくり運動）をさせている。近時の自動いか釣り機は、コンピュータ制御により、海上における漁船の揺れを検出して釣糸の繰出し及び繰込み量を補正することにより、漁船が揺れても疑似餌が所定の周期およびストロークでしゃくり運動するようにしている。
【０００３】
釣糸は漁船から数百メートルの海中に垂下されるため、釣糸に伸縮性があると、自動いか釣り機の繰出し及び繰込み動作が釣糸の先端に正確に伝わらず、疑似餌に所望のしゃくり運動をさせることができなくなる。そこで釣糸の下端部の数十メートルのみをボリアミド樹脂製のテグスとし、それより上方の部分は伸縮性の小さいステンレスの撚線を芯線とするワイヤを用いるのが普通である。このワイヤは、耐久性の向上と自動いか釣り機のローラなどの損傷を低減するために、表面に樹脂コーティング層が設けられている。この樹脂コーティング層は、ワイヤを見え難くするため、およびワイヤの耐磨耗性の向上のためにカーボンが混入される関係上、黒色などの暗色を呈していた。
【０００４】
自動いか釣り機は漁船上に搭載されているので、そこから繰り出されたり、繰り込まれたりする釣糸を海中に垂らすためには、釣糸を船の外側に導いてやらねばならない。そこで漁船から先端にプーリを設けた腕を多数張り出して、釣糸を１本ずつプーリに掛け回して海中に垂下している。図３はこの状態を模式的に示したもので、漁船１に搭載した自動いか釣り機２から繰り出された釣糸３は、腕４によって舷側から張り出した状態で軸支されているプーリ５に掛け回されて海中に垂下されている。なおこのプーリ５に掛け回される部分の釣糸は、樹脂コーティングされたステンレスワイヤ製の釣糸であり、疑似餌６や釣針７を連結したナイロン製のテグス８がステンレスワイヤ製の釣糸３の下端に接続されている。 図３には２本の釣糸のみを示したが、実際には一隻の漁船から数十本ないし百本の釣糸が垂下されるので、漁船に装着されるプーリ５の数も数十個ないし百個になる。
【０００５】
このような状態でいか釣りを行っている途中において、漁船の揺れなどによって釣糸３がプーリ５から外れることがある。そうすると、自動いか釣り機による釣糸の繰出し繰込み運動が疑似餌６に正確に伝わらなくなり、また釣糸の垂下位置が変動するので、釣糸が絡まったりする。そこで釣糸がプーリから外れたときに、直ぐに釣糸をプーリに掛け直してやらねばならないが、釣糸がいかに見えにくいように暗色にコーティングされているため、釣糸がプーリから外れたことを発見し難い。
【０００６】
そこで本願の出願人は、下記特許文献において、ワイヤ３の長手方向一方の側の樹脂コーティング層を蛍光色又は明色に、他方の側の樹脂コーティング層を暗色に色分けしたワイヤを提案している。この考案のワイヤは、暗色のコーティング層を設けた側を下方すなわち疑似餌６や釣針７を連結する側にして使用される。そうすると蛍光色又は明色のコーティング層を設けた側がプーリ５に巻回されることとなり、夜間の操業において釣糸が光って見えるために、釣糸がプーリ５から外れたときに、それを容易にかつ直ちに発見できる。
【特許文献１】実用新案登録第３０３６６８３号公報
【考案の開示】
【考案が解決しようとする課題】
【０００７】
上記従来技術において、ワイヤの下方となる側の樹脂コーティング層を暗色としたのは、いかに釣糸を発見されにくくして釣果が低下するのを避けるためであった。しかし上記従来構造のワイヤは、ワイヤの長手方向一方側と他方側の樹脂コーティング層が色分けされているので、製造が面倒であり、操業する場所の水深によって色分けする位置を変える必要があり、コスト高になる問題があった。この考案は、この問題を解決して、操業時に視認しやすいいか釣り用ワイヤをより安価に提供することを課題としている。
【課題を解決するための手段】
【０００８】
前述したように、上記従来技術において、ワイヤの下方となる側の樹脂コーティング層を暗色としたのは、いかに釣糸を見えにくくして釣果が低下するのを避けるためであった。釣糸を見え難くしなければ釣れないことは漁師の常識である。しかし実際に上記従来構造の釣糸を使用してみると、ワイヤの長手方向全長の樹脂コーティング層を緑色や黄緑色ないし淡緑色としても釣果に大きな影響がないことが判明した。
【０００９】
この考案は、上記知見に基づいて為されたもので、本願の請求項１の考案に係るいか釣り用ワイヤは、芯線１１の表面に樹脂コーティング層１３を設けたいか釣り用ワイヤ３において、ワイヤの長手方向全長にわたる前記樹脂コーティング層が緑色、黄緑色ないし淡緑色の樹脂コーティング層であることを特徴とするものである。
【００１０】
上記従来構造と同様に、樹脂コーティング層の緑色、黄緑色ないし淡緑色をそれぞれの蛍光色とするのがより視認性に優れている。本願の請求項２の考案に係るいか釣り用ワイヤは、上記のいか釣り用ワイヤにおいて、樹脂コーティング層１３が、蛍光緑色、蛍光黄緑色ないし蛍光淡緑色の樹脂コーティング層であることを特徴とするものである。
【考案の効果】
【００１１】
上記のこの考案のいか釣り用ワイヤ３は、樹脂コーティング層１３が緑色、黄緑色ないし淡緑色であるため、夜間の操業において釣糸が見やすく、プーリから外れたときに、それを容易にかつ直ちに発見することができる。また、外れた釣糸の所在も容易に分かるから、外れた釣糸のプーリへの掛け直しも速やかに行うことができる。さらに、コーティング層１３を色分けする必要がないので、製造が容易で安価に提供でき、釣を行う場所の水深によってワイヤを使い分ける必要もない。そして、従来の常識に反して、ワイヤ３全体の樹脂コーティング層を緑色、黄緑色ないし淡緑色としても、釣果が低下することがない。
【考案を実施するための最良の形態】
【００１２】
図１はこの考案のいか釣り用ワイヤ３の一部を示した図である。１本のワイヤ３は数百メートルの長さで、その全長にわたって、一般に緑色から黄緑ないし淡黄色と呼ばれる色の樹脂コーティング層１３が設けられている。
【００１３】
図２はこの考案のいか釣り用ワイヤ３の一例を示す拡大断面図で、芯線１１は複数のステンレス素線１２を撚り合わせたステンレスワイヤからなり、その表面に緑色の顔料を混合した樹脂コーティング層１３が設けられている。この考案のワイヤ（釣糸）３は、図３に示した従来方法と同様な方法で用いる。
【図面の簡単な説明】
【００１４】
【図１】ワイヤの一部を示す斜視図
【図２】ワイヤの拡大断面図
【図３】いか釣りの操業状態を模式的に示す説明図
【符号の説明】
【００１５】
３  ワイヤ（釣糸）
11  芯線
13  樹脂コーティング層
【図１】
0003123408.tif 000003
【図２】
0003123408.tif 000004
【図３】
0003123408.tif 000005